【手続補正書】
【提出日】平成17年6月8日(2005.6.8)
【手続補正１】
【補正対象書類名】特許請求の範囲
【補正対象項目名】全文
【補正方法】変更
【補正の内容】
【特許請求の範囲】
【請求項１】
内視鏡的外科的クリップ適用装置であって、
カニューレを通して体腔の中へ挿入するために適する遠位端を有するシャフト・アッセンブリ；
複数のクリップを保持するためにシャフト・アッセンブリ内に配されるクリップ・チャンネル；
シャフト・アッセンブリの遠位端から延びるジョー・アッセンブリであって、結紮クリップの第１の部分に係合するための第１のジョー・アーム、及び、結紮クリップの第２の部分に係合するための対向する第２のジョー・アームを有し、第１及び第２のジョー・アームがそれぞれカム表面を有する第１のジョー部材、並びに、結紮クリップの第３の部分に係合するための第３のジョー・アーム、及び、結紮クリップの第４の部分に係合するための対向する第４のジョー・アームを有し、第３及び第４のジョー・アームがそれぞれカム表面を有する第２のジョー部材を有してなるジョー・アッセンブリ；並びに、
クリップをクリップ・チャンネルからジョー・アッセンブリへ前進させ、及びジョー・アッセンブリを閉じさせる動作アッセンブリ
を有してなることを特徴とするクリップ適用装置。
【請求項２】
シャフト・アッセンブリが、その長手方向にそって延びる長軸を有する外側シャフト部材；及び前記シャフト部材内に配され、長軸に沿って外側シャフトに対して動くことができるクリップ・チャンネルを有する請求項１記載のクリップ適用装置。
【請求項３】
第１のジョー部材は、ブリッジ部材によって連絡された第１のレッグ部及び第２のレッグ部を有する実質的にＵ字形状のボディ部セグメントを有しており、第１のジョー・アームは第１のレッグ部から延びており、第２のジョー・アームは第２のレッグ部から延びており；並びに第２のジョー部材は、ブリッジ部材によって連絡された第３のレッグ部及び第４のレッグ部を有する実質的にＵ字形状のボディ部セグメントを有しており、第３のジョー・アームは第３のレッグ部から延びており、第４のジョー・アームは第４のレッグ部から延びている請求項２記載のクリップ適用装置。
【請求項４】
第１のジョー部材のブリッジ部材は、クリップ・チャンネルの第１の側に連絡しており；並びに第２のジョー部材のブリッジ部材は、クリップ・チャンネルの第１の側に対向する第２の側に連絡している請求項３記載のクリップ適用装置。
【請求項５】
第１のジョー部材のブリッジ部材は、軸まわりで回転できるようにクリップ・チャンネルの第１の側に連絡しており；並びに第２のジョー部材のブリッジ部材は、クリップ・チャンネルの第１の側に対向する第２の側に連絡している請求項３記載のクリップ適用装置。
【請求項６】
外側シャフトアッセンブリは、第１のジョー部材及び第２のジョー部材の対応するカム表面と共同するように適合されているカム表面を有する請求項５記載のクリップ適用装置。
【請求項７】
動作アッセンブリは、外側シャフトとクリップ・チャンネルとの間の相対的な動きを引き起こし、それによって、外側シャフトのカム表面が第１のジョー部材及び第２のジョー部材のカムに当たり、ジョー・アッセンブリを閉じさせる請求項６記載のクリップ適用装置。
【請求項８】
動作アッセンブリは、固定された外側シャフトに対して相対的にクリップ・チャンネルを動かす請求項７記載のクリップ適用装置。
【請求項９】
動作アッセンブリは、固定されたクリップ・チャンネルに対して相対的に外側シャフトを動かす請求項７記載のクリップ適用装置。
【請求項１０】
クリップ・チャンネルからジョー・アッセンブリへクリップを送るクリップ供給アッセンブリを更に有してなる請求項１記載のクリップ適用装置。
【請求項１１】
クリップ・チャンネルの長手方向に沿ってスライドして動けるフィーダ・バーであって、クリップをクリップ・チャンネルの遠位端へ向かって前進させる複数のクリップ前進要素を有するフィーダ・バーを更に有する請求項１記載のクリップ適用装置。
【請求項１２】
フィーダ・バーは、クリップ供給機構がクリップ・チャンネルからクリップを取り出す遠位端側の位置と、フィーダ・バーがクリップをジョー・アッセンブリへ分配供給する近位端側の位置との間で動くことができる請求項１１記載のクリップ適用装置。
【請求項１３】
フィーダ・バーは、該フィーダ・バーが近位端側へ動く際に、クリップ・カートリッジ内の最も遠位端側のクリップを回転させるフット部材を有する請求項１１記載のクリップ適用装置。
【請求項１４】
内視鏡的外科的クリップ適用装置であって、
カニューレを通して体腔の中へ挿入するのに適する遠位端及び近位端を有し、遠位端側に形成されている複数のカム表面を有する外側シャフト・アッセンブリ；
シャフト・アッセンブリの遠位端から延びており、結紮クリップの第１の部分に係合するための第１のジョー・アーム、及び、結紮クリップの第２の部分に係合するための対向する第２のジョー・アームを有する第１のジョー部材を有しており、第１及び第２のジョー・アームはそれぞれカム表面を有しているジョー・アッセンブリ；
外側シャフト・アッセンブリの中に配されており、複数のクリップを保持するのに適合されているクリップ・チャンネル；
クリップ・チャンネルからジョー・アッセンブリへクリップを送るためのフィーダ・バー；並びに
ジョー・アッセンブリを閉じるための動作アッセンブリであって、外側シャフト・アッセンブリとジョー・アッセンブリとの間で相対的な動きを引き起こし、カム表面どうしの間での接触によってジョー・アッセンブリを閉じさせる動作アッセンブリ
を有してなるクリップ適用装置。
【請求項１５】
ジョー・アッセンブリは、結紮クリップの第３の部分に係合するための第３のジョー・アーム、及び、結紮クリップの第４の部分に係合するための対向する第４のジョー・アームを有する第２のジョー部材を有し、第３及び第４のジョー・アームはそれぞれカム表面を有している請求項１４記載のクリップ適用装置。
【請求項１６】
第１のジョー部材は、ブリッジ部材によって連絡された第１のレッグ部及び第２のレッグ部を有する実質的にＵ字形状のボディ部セグメントを有しており、第１のジョー・アームは第１のレッグ部から延びており、第２のジョー・アームは第２のレッグ部から延びており；並びに第２のジョー部材は、ブリッジ部材によって連絡された第３のレッグ部及び第４のレッグ部を有する実質的にＵ字形状のボディ部セグメントを有しており、第３のジョー・アームは第３のレッグ部から延びており、第４のジョー・アームは第４のレッグ部から延びている請求項１５記載のクリップ適用装置。
【請求項１７】
第１のジョー部材のブリッジ部材は、軸まわりで回転できるようにクリップ・チャンネルの第１の側に連絡しており；並びに第２のジョー部材のブリッジ部材は、クリップ・チャンネルの第１の側に対向する第２の側に連絡している請求項１６記載のクリップ適用装置。
【請求項１８】
クリップ・チャンネルの長手方向に沿ってスライドして動き得るフィーダ・バーであって、クリップをクリップ・チャンネルの遠位端の方へ前進させる複数のクリップ前進要素を有するフィーダ・バー；並びに前記フィーダ・バーを動作させる動作アッセンブリを有してなる請求項１４記載のクリップ適用装置。
【請求項１９】
トリガを有するハンドル・アッセンブリ；並びに前記外側シャフト及び前記トリガに連絡し、シャフト・アッセンブリの長軸に沿ってスライドして動くことができ、トリガがジョー・アッセンブリに対して相対的に外側シャフトを動かすことを防止するヨークを、ジョー・アッセンブリを閉じさせる動作アッセンブリが更に有する請求項１４記載のクリップ適用装置。
【請求項２０】
トリガを有するハンドル・アッセンブリ；並びに前記外側シャフト及び前記トリガに連絡し、シャフト・アッセンブリの長軸に沿ってスライドして動くことができ、トリガがジョー・アッセンブリに対して相対的に外側シャフトを動かすことを防止するヨークを、クリップ供給アッセンブリを動作させるための動作アッセンブリが有する請求項１４記載のクリップ適用装置。
【請求項２１】
内視鏡的外科的クリップ適用装置であって、
カニューレを通して体腔の中へ挿入するのに適する遠位端及び近位端を有する外側シャフト・アッセンブリ；
複数のクリップを保持して前記外側シャフト・アッセンブリ内に配されるクリップ・チャンネル；
前記クリップ・チャンネルの遠位端側に連絡するジョー・アッセンブリ；
クリップ・チャンネルからジョー・アッセンブリの中へクリップを前進させるための第１の部分及びジョー・アッセンブリを閉じさせる第２の部分を有する動作ストロークを実施するためのトリガを有する動作アッセンブリ；並びに
前記トリガに連絡するラチェット・アッセンブリであって、動作ストロークの第１の部分の間ではトリガの反転動作を防止しているが、動作ストロークの第２の部分の間ではトリガの反転動作を許容するラチェット・アッセンブリ
を有するクリップ適用装置。
【請求項２２】
クリップ外側シャフトは、遠位端側において形成される複数のカム表面を有するカラーを有している請求項２１記載のクリップ適用装置。
【請求項２３】
動作アッセンブリは、フィーダ・バーとクリップ・チャンネルとの間での相対的な動きを引き起こして、クリップをクリップ・チャンネルからジョー・アッセンブリへ前進させる請求項２１記載のクリップ適用装置。
【請求項２４】
動作アッセンブリは、外側シャフト・アッセンブリとクリップ・チャンネルとの間での相対的な動きを引き起こして、ジョー・アッセンブリを閉じさせる請求項２１記載のクリップ適用装置。